(57)【要約】【課題】集水桝内への蚊の出入りを確実に防ぐ集水桝用の防蚊網蓋を提供する。【解決手段】天板３に穿設された上部開口，底板４に穿設された下部開口，及び上部開口を覆う網体３ｂを有する中空柱体状の本体２と、本体２内に、天板３と略平行に配設されたサブ網体１１とを備える集水桝用の防蚊網蓋である。網体３ｂ及びサブ網体１１を備えているので、確実に蚊の侵入を防ぐことができる。また、落葉，小石，ゴミ等の堆積物により網体３ｂが破損又は変形しても、サブ網体１１により確実に蚊の侵入を防ぐことができる。サブ網体１１が本体２内に着脱自在に配設されるので、堆積物の一部が網体３ｂを通り抜けサブ網体１１上に落下しても、サブ網体１１を取外して堆積物を取り除くことができるから、清掃容易である。【選択図】図１
0003163145.tif 000002
【実用新案登録請求の範囲】
【請求項１】
天板に穿設された上部開口，底板に穿設された下部開口，及び上部開口を覆う網体を有する中空柱体状の本体と、
本体内に天板と略平行に配設されたサブ網体とを備えてなることを特徴とする集水桝用の防蚊網蓋。
【請求項２】
サブ網体が、下部開口の縁部に載置されて着脱自在に配設されると共に、
本体の側壁の一部に、サブ網体を挿通可能な切欠き部が穿設されてなることを特徴とする請求項１に記載の集水桝用の防蚊網蓋。
【請求項３】
網体及びサブ網体がステンレス鋼で作製されてなることを特徴とする請求項１又は請求項２に記載の集水桝用の防蚊網蓋。
【請求項４】
全体がステンレス鋼で作製されてなることを特徴とする請求項１又は請求項２に記載の集水桝用の防蚊網蓋。
【考案の詳細な説明】
【技術分野】
【０００１】
本考案は、集水桝内に着脱自在に取り付けられ、集水桝内への蚊の出入りを防ぐ、集水桝用の防蚊網蓋に関する。
【背景技術】
【０００２】
従来、地すべり防止対策の一つとして設けられる地表水を集める集水路は、水路の合流箇所、例えば側溝や排水管の交差部位や、水路が長い場合にはその途中に、集水桝が設けられている。集水桝の底部には、排水管への土砂流入を防ぐための泥溜めが設けられている。また、浮遊物が流入しないように、鋳鉄製やコンクリート製で孔の穿設された上蓋が設けられている。泥溜めには流入水が滞留しやすく、この滞留した水は蚊の産卵場所、即ちボウフラ及び蚊の発生源になりやすい。蚊は、人々に不快感を与えるだけでなく、伝染病の有力な媒介者でもあるので、蚊の発生に対する対策が必要である。蚊の発生防止は、主に殺虫剤を散布して行われている。しかし殺虫剤等の薬剤を用いる方法は、効果が比較的短期間に限られ、コストが高いという欠点がある。また、薬剤は水質を変化させ、環境に悪影響を及ぼす虞もある。
【０００３】
このような背景から、薬剤を用いない物理的な方法で、蚊の発生を未然に防ぐ手段を備えた様々な装置が開示されている。例えば、桝内への蚊の出入りを防ぐ網体を着脱自在に配設した、集水桝の一種である雨水桝が開示されている（例えば、特許文献１及び特許文献２参照）。これらの雨水桝によれば、単層の網を有するネット体又は防虫網を備えているので蚊が侵入し難く、また、薬剤を用いないので、環境に与える影響も小さい。
【先行技術文献】
【特許文献】
【０００４】
【特許文献１】実開平６−７６４８４号公報
【特許文献２】特開平７−２２４４５８号公報
【考案の概要】
【考案が解決しようとする課題】
【０００５】
しかしながら、上記特許文献１及び特許文献２に記載される集水桝は、泥水や、落葉，小石，ゴミ等が上蓋の孔を通過しネット体又は防虫網上に堆積して、当該堆積物の重みで網が破れたり変形したりする虞があり、生じた隙間から蚊が出入りする虞があった。
【０００６】
上記問題点に鑑み、本考案は、集水桝内への蚊の出入りを確実に防ぐ集水桝用の防蚊網蓋を提供することを課題とする。
【課題を解決するための手段】
【０００７】
上記課題を解決する第１の考案は、天板に穿設された上部開口，底板に穿設された下部開口，及び上部開口を覆う網体を有する中空柱体状の本体と、
本体内に天板と略平行に配設されたサブ網体とを備えてなる集水桝用の防蚊網蓋である。
【０００８】
第２の考案は、サブ網体が、下部開口の縁部に載置されて着脱自在に配設されると共に、
本体の側壁の一部に、サブ網体を挿通可能な切欠き部が穿設されてなる第１の考案に係る集水桝用の防蚊網蓋である。
【０００９】
第３の考案は、網体及びサブ網体がステンレス鋼で作製されてなる第１又は第２の考案に係る集水桝用の防蚊網蓋である。
【００１０】
第４の考案は、全体がステンレス鋼で作製されてなる第１又は第２の考案に係る集水桝用の防蚊網蓋である。
【考案の効果】
【００１１】
本考案の集水桝用の防蚊網蓋は、網体及びサブ網体を備えているので、確実に蚊の侵入を防ぐことができる。また、落葉，小石，ゴミ等の堆積物により網体が破損又は変形しても、サブ網体により確実に蚊の侵入を防ぐことができる。
【００１２】
第２の考案によれば、サブ網体が本体に着脱自在に係合されており、本体とサブ網体を分離することができるので、堆積物の一部が網体を通り抜けサブ網体上に落下したとしても、サブ網体を取外し、前記堆積物を取り除くことができるから、清掃容易である。
【００１３】
第３の考案の防蚊網蓋は、網体及びサブ網体がステンレス鋼で作製されているから、耐候性及び堅牢性を有し錆び難く，堆積物で変形せずにメッシュサイズを維持できる。
【００１４】
第４の考案の防蚊網蓋は、全体がステンレス鋼で作製されているから、耐候性及び堅牢性を有し錆び難く、加工成型が容易である。
【図面の簡単な説明】
【００１５】
【図１】実施例１の集水桝用の防蚊網蓋を示す全体斜視図である。
【図２】実施例１に係るサブ網体を示す斜視図である。
【図３】実施例１の集水桝用の防蚊網蓋を示す上面図である。
【図４】実施例１に係る本体を示す上面視断面図である。
【図５】実施例１の集水桝用の防蚊網蓋を示す図面で、（ａ）は図３のＡ−Ａ線断面図であり、（ｂ）は図３のＢ−Ｂ線断面図である。
【図６】実施例２の集水桝用の防蚊網蓋を示す全体斜視図である。
【図７】実施例２に係る本体を示す斜視図である。
【考案を実施するための形態】
【００１６】
以下に、本考案を実施するための形態を、実施例を示す図面を参照して詳細に説明する。尚、本考案は、本実施例及び図面に限定されるものではない。
【実施例１】
【００１７】
本考案の集水桝用の防蚊網蓋１は、図１乃至図５に示される様に、天板３に穿設された上部開口３ａ，底板４に穿設された下部開口４ａ，及び上部開口３ａを覆う網体３ｂを有する中空柱体状の本体２と、
本体２内に天板３と略平行に配設されたサブ網体１１とを備えている。
【００１８】
防蚊網蓋１は、角形の集水桝２１内に嵌脱可能で、集水桝２１に嵌入した際に防蚊網蓋１の外周壁と集水桝２１の内壁との間に蚊が出入りする隙間ができない大きさに作製されている。また、通常、集水桝の凹稜が曲率をもつ形状に作製されているので、その形状に合わせて防蚊網蓋１の側壁６の稜も曲率をもつ形状に作製されているが、これに限定されるものではなく、防蚊網蓋１の外周が集水桝の内周の形状に合い、集水桝２１に嵌脱可能であればよい。
【００１９】
一般的な集水桝２１の内壁には、排水管の接続口があり、その上方に段差２２が内周に沿って設けられている。本考案の集水桝用の防蚊網蓋１は、集水桝２１の段差２２に載置して用いられる。また、段差２２が無く内壁が下方向にテーパー状を成す集水桝に、防蚊網蓋を設置する場合は、嵌入した際に所望の高さで止まるような大きさに防蚊網蓋１を作製すればよい。
集水桝２１の内壁が、段差２２を有さずテーパー状でもない場合は、集水桝２１の内周の一定の高さ位置に複数のコンクリート片等の断片を固着して支持部を設け、その支持部上に防蚊網蓋１を載置してもよい。
【００２０】
本考案を構成する各部材は、網体３ｂ及びサブ網体１１を除き、剛性を有する材質で作製される。その材質は特に限定されず、例えば、鉄，炭素鋼，ステンレス鋼，アルミニウム合金等の金属、木材、石材や、ポリエチレン，ポリプロピレン，ポリメタクリル酸エステル等の合成樹脂を用いることができるが、本考案を長期間に亘って使用するためには、堅牢性を維持するために、剛性を有する金属で作製されることが好ましい。更に、耐食性を有するステンレス鋼で作製されることがより好ましい。
【００２１】
天板３は、その外周を除いて中央が広く穿孔されていて、それによって上部開口３ａが設けられている。上部開口３ａは、略矩形状に形成されたステンレス鋼製の網体３ｂで覆われており、網体３ｂの外周は、ステンレス鋼を材質とする上部開口３ａの縁部３ｃに溶接固定されている。網体３ｂのメッシュサイズは、蚊が通り抜け難いサイズであればよく、例えば約２０メッシュとすることができる。
【００２２】
網体３ｂの材質は、加工成型が容易である材質、例えば、ポリエチレン，ポリプロピレン，ポリアミド等の合成樹脂や、ステンレス鋼，アルミニウム合金等の金属を用いることができるが、堆積物で変形せず、メッシュサイズを維持できる堅牢な構造とするために、剛性を有する金属で作製されることが好ましい。更に、堅牢性及び耐食性を有するステンレス鋼で作製されることがより好ましい。
【００２３】
縁部３ｃの形状及び網体３ｂとの接合方法は、必ずしも溶接に限定されず、網体３ｂが確実に固定されるような形状及び接合方法であればよい。例えば、網体３ｂが、ヘミング加工された縁部３ｃに挟持され接合されていてもよいし、網体３ｂ及び縁部３ｃが一体として形成されていてもよい。また、例えば、網体３ｂ及び縁部３ｃが合成樹脂製の場合には、接着剤を用いて網体３ｂが縁部３ｃに止着されていてもよい。
【００２４】
網体３ｂの略中央には、ステンレス鋼で作製された取手部５が立設されている。取手部５は、略コの字状の取手５ａと円盤状の土台５ｂからなり、網体３ｂと一体として作製された土台５ｂ上に、取手５ａが溶接固定されている。取手部５の形状，材質及び網体３ｂとの接合手段はこれに限定されるものではなく、堆積物が網体３ｂ上に堆積しても、防蚊網蓋１を集水桝２１から容易に取り出せればよい。
【００２５】
図４及び図５に示すように、底板４は、その外周を除いて中央が広く穿孔されていて、それによって下部開口４ａが設けられている。下部開口４ａの縁部４ｂの形状は、図示されている形状に限定されず、側壁６の内周の半分以上と接合されるように配設されていればよく、例えば上面視略コ字状に形成されてもよい。
【００２６】
本体２の側壁６には、切欠き部６ａが穿設されている。切欠き部６ａは、底板４の縁部４ｂ上端から天板３の縁部３ｃ下端に至る高さ位置に、本体２の左右両端に至る幅で形成されていて、サブ網体１１を挿通可能とされている。切欠き部６ａの形状及び大きさは、サブ網体１１を挿通可能であればよく、必ずしも上記に限られない。
【００２７】
サブ網体１１は、略矩形状に形成され、その外周上部に設けられた枠部１１ａにより補強されている。サブ網体１１及び枠部１１ａは、それぞれステンレス鋼で作製され、溶接固定され接合されている。サブ網体１１のメッシュサイズは、蚊が通り抜け難いサイズであればよく、例えば約２４メッシュとすることができる。サブ網体１１のメッシュサイズが網体３ｂのそれより小さいと、集水桝への蚊の侵入をより確実に防ぐことができる。また、網体３ｂ及びサブ網体１１により、集水桝へ流下した堆積物が段階的に除去されるので、網目が詰まり難い。
【００２８】
サブ網体１１の材質は、加工成型が容易である材質、例えば、ポリエチレン，ポリプロピレン，ポリアミド等の合成樹脂や、ステンレス鋼，アルミニウム合金等の金属を用いることができるが、堆積物で変形せず、メッシュサイズを維持できる堅牢な構造とするために、剛性を有する金属で作製されることが好ましい。更に、堅牢性及び耐食性を有するステンレス鋼で作成されることがより好ましい。
【００２９】
枠部１１ａの形状及びサブ網体１１との接合方法は、サブ網体１１が補強されるような形状及び接合方法であればよく、特に限定されるものではない。例えば、サブ網体１１が、ヘミング加工された枠部１１ａに挟持され接合されていてもよいし、サブ網体１１及び枠部１１ａが一体として形成されていてもよい。また、例えば、サブ網体１１及び枠部１１ａが合成樹脂製の場合には、接着剤を用いてサブ網体１１が枠部１１ａに止着されていてもよい。
【００３０】
サブ網体１１は、本体２の切欠き部６ａから底板４の縁部４ｂに沿って挿入され、縁部４ｂ上に載置されている。また、防蚊網蓋１が集水桝２１内にスムーズに嵌脱されるように、枠部１１ａの切欠き部６ａ側の両端は、曲率をもつ形状に作製されている。サブ網体１１が本体２に着脱自在なので、堆積物の一部が網体３ｂを通り抜けたとしてもサブ網体１１を容易に清掃できる。
【００３１】
側壁６の内周の少なくとも一部から内方に延出されたフランジを設け、該フランジ上に、防蚊網蓋１の中空部を区画するようにサブ網体１１を載置しても良い。斯様にして複数のサブ網体１１，１１…を配設すると、蚊の出入りを更に確実に防ぐことができる。
【実施例２】
【００３２】
以下、本考案の別の実施例について説明するが、実施例１と同一部分については同一符号を付して、詳細な説明は省略する。
【００３３】
実施例２の集水桝用の防蚊網蓋１’は、丸形の集水桝に嵌脱可能であり、図６及び図７に示すように、天板３に穿設された上部開口，底板４に穿設された下部開口４ａ，及び上部開口を覆う網体３ｂを有する中空円柱体状の本体２と、
天板３と略平行に配設されたサブ網体１１とを備えている。
【００３４】
天板３は、その外周を除いて中央が広く穿孔されていて、それによって略円形の上部開口が設けられている。上部開口は、略円板状に形成された網体３ｂで覆われており、網体３ｂの外周は、上部開口３ａの縁部３ｃに接合されている。
【００３５】
サブ網体１１は、略円板状に形成され、その外周上部に設けられた略環状の枠部１１ａにより補強されている。
【００３６】
実施例２に係る側壁６には、切欠き部６ａが穿設されている。切欠き部６ａは、底板４の下端から側壁６の略中央に至る高さ位置に、側壁６の径に略等しい幅で形成されていて、サブ網体１１を挿通可能である。切欠き部６ａの形状及び大きさは、サブ網体１１を挿通可能であればよく、必ずしも上記に限られない。
【００３７】
底板４の縁部４ｂの形状は、サブ網体１１が載置できればよく、図示される略半環状の他、例えば、略環状にすることができる。
【符号の説明】
【００３８】
１，１’  防蚊網蓋
２  本体
３  天板
３ａ  上部開口
３ｂ  網体
３ｃ，４ｂ  縁部
４  底板
４ａ  下部開口
５  取手部
５ａ  取手
５ｂ  土台
６  側壁
６ａ  切欠き部
１１  サブ網体
１１ａ  枠部
２１  集水桝
２２  段差
【図１】
0003163145.tif 000003
【図２】
0003163145.tif 000004
【図３】
0003163145.tif 000005
【図４】
0003163145.tif 000006
【図５】
0003163145.tif 000007
【図６】
0003163145.tif 000008
【図７】
0003163145.tif 000009